(57)【要約】【課題】電子血圧計において、共通化が可能な部品を集合体とすることで、機種に関係なく汎用部品として用いることのできる電子血圧計用モジュールおよび電子血圧計を提供することにある。【解決手段】ベース５０１のポンプ収容領域５０２にポンプ５１１が収容され、弁収容領域５０３に弁５１２が収容され、ポンプエアポート５１１ｃと弁エアポート５１２ｂとがエアチューブ５２０により連結され、基板支持領域５１０に基板５３０が支持されている。これにより、異なる機種の電子血圧計であっても、共通化が可能な部品を集合体とすることで、この電子血圧計用モジュール５００を、電子血圧計の機種に関係なく汎用部品として用いることが可能となる。【選択図】図９
2012029793.tif 000002
【特許請求の範囲】
【請求項１】
被測定者の測定部位にカフを装着して血圧を測定する電子血圧計のハウジング内に収容される電子血圧計用モジュールであって、
前記カフに空気を導入し、ポンプエアポートを有するポンプと、
前記カフ内の空気圧を制御する、弁エアポートを有する弁と、
前記ポンプエアポートと前記弁エアポートとを連結するエアチューブと、
電子機器が実装された基板と、
側面を有し、前記ポンプを収容するポンプ収容領域、前記弁を収容する弁収容領域、および前記基板を支持する基板支持領域を有するベースと、を備え、
前記ポンプ収容領域に前記ポンプが収容され、前記弁収容領域に前記弁が収容され、前記ポンプエアポートと前記弁エアポートとが前記エアチューブにより連結され、前記基板支持領域に前記基板が支持された、電子血圧計用モジュール。
【請求項２】
前記ポンプ収容領域の前記ポンプの支持深さは、前記弁収容領域の前記弁の支持深さよりも深く設けられる、請求項１に記載の電子血圧計用モジュール。
【請求項３】
前記ポンプエアポートと前記弁エアポートとが、前記側面側に位置し、各ポートが同一方向を向くように、前記ポンプと前記弁とが前記ベースに配置されている、請求項１または２に記載の電子血圧計用モジュール。
【請求項４】
前記ポンプエアポートの先端および前記弁エアポートの先端は、前記ベースの前記側面側から外方に突出している、請求項３に記載の電子血圧計用モジュール。
【請求項５】
前記ポンプエアポートと前記弁エアポートとは、前記ベースの前記側面の外側から前記エアチューブにより連結されている、請求項４に記載の電子血圧計用モジュール。
【請求項６】
前記ポンプ収容領域に前記ポンプが収容され、前記弁収容領域に前記弁が収容された状態において、
前記基板は、前記ポンプ収容領域および前記弁収容領域の開口側の位置で前記基板支持領域に支持される、請求項１から５のいずれかに記載の電子血圧計用モジュール。
【請求項７】
前記基板は、前記ポンプの一部を露出させるように、前記基板支持領域に支持される、請求項６に記載の電子血圧計用モジュール。
【請求項８】
前記基板は、前記弁の一部を露出させるように、前記基板支持領域に支持される、請求項６に記載の電子血圧計用モジュール。
【請求項９】
前記基板の縁部には、外部機器との通信領域が設けられる、請求項１から８のいずれかに記載の電子血圧計用モジュール。
【請求項１０】
前記ポンプは、前記ポンプエアポートを有するポンプ本体と、前記ポンプ本体に対して前記ポンプエアポートとは反対側に設けられるポンプモータと含み、
前記ポンプモータの前記ポンプ本体とは反対側にはモータ端子を有し、
前記側面には、前記モータ端子との干渉を防ぐ切り欠き領域が設けられる、請求項１から９のいずれか記載の電子血圧計用モジュール。
【請求項１１】
前記ベースは、前記エアチューブが連結されるジョイント配管をさらに有する、請求項１から１０のいずれかに記載の電子血圧計用モジュール。
【請求項１２】
請求項１から１１のいずれかに記載の電子血圧計用モジュールと、
表面に表示部を有し、内部に前記電子血圧計用モジュールを収容するハウジングと、
被測定者の測定部位に装着され、内部に導入される空気圧が前記電子血圧計用モジュールによって制御されるカフと、を備える電子血圧計。
【請求項１３】
前記ハウジングを載置面に載置した場合に、前記表示部は前記載置面に対して傾斜している、請求項１２に記載の電子血圧計。
【発明の詳細な説明】
【技術分野】
【０００１】
この発明は、電子血圧計用モジュールおよび電子血圧計に関する。
【背景技術】
【０００２】
血圧は循環器疾患を解析する指標の一つである。血圧に基づいて循環器疾患のリスク解析を行なうことは、たとえば脳卒中や心不全や心筋梗塞などの心血管系の疾患の予防に有効である。特に、早朝に血圧が上昇する早朝高血圧は心臓病や脳卒中などに関係している。さらに、早朝高血圧の中でも、モーニングサージと呼ばれる起床後１時間から１時間半ぐらいの間に急激に血圧が上昇する症状は、脳卒中との因果関係があることが判明している。
【０００３】
そこで、時間（生活習慣）と血圧変化の相互関係を把握することが、心血管系の疾患のリスク解析に有用である。したがって、長期間にわたり、連続的に血圧測定することが重要となってきている。
【０００４】
また、近年の研究成果により、病院や健康診断時に測定する血圧（随時血圧）よりも、家庭で測定した家庭血圧が、より心血管系疾患の予防・診断・治療に有効であることが判明してきている。これにともない、家庭向け電子血圧計が広く普及し、家庭血圧値を診断に使用する動きも始まっている。
【０００５】
一般に電子血圧計の構造としては、測定部位に装着するカフ内の圧力を制御するポンプ、弁、配管（チューブ）、電子血圧計を制御する基板、血圧値を表示する表示部、電子血圧計の電源ＯＮ／ＯＦＦ操作および測定開始などの操作を入力する操作部、およびこれらの機器等をその内部に納めるハウジングから構成されている（たとえば、下記特許文献１、２）。
【先行技術文献】
【特許文献】
【０００６】
【特許文献１】特開２０１０−６９１９６号公報
【特許文献２】特開２０１０−９９３８４号公報
【発明の概要】
【発明が解決しようとする課題】
【０００７】
従来の電子血圧計では、機種ごとに、異なるハウジングに対して各種部品の配置を検討していたため、機種が増えるたびに配置を検討する必要があった。
【０００８】
しかし、血圧値を表示する表示部、血圧計の操作を入力する操作部、およびハウジングといった外観や、ユーザビリティに関わる部分は、電子血圧計の機種により異なる。しかし、ハウジングの内部に収容される、ポンプ、弁、および配管（チューブ）については、機種に関係なく共通の機器を用いることが可能である。
【０００９】
また、電子血圧計を制御する基板については基板上のＣＰＵ（Central Processing Unit）に書き込まれるソフトの内容を機種ごとに設定すれば、ＣＰＵを搭載した基板については、機種に関係なく共通の基板を用いることも可能である。
【００１０】
この発明の目的は、このような従来の問題点に着目してなされたもので、電子血圧計において、共通化が可能な部品を集合体とすることで、機種に関係なく汎用部品として用いることのできる電子血圧計用モジュールおよび電子血圧計を提供することにある。
【課題を解決するための手段】
【００１１】
この発明に基づいた電子血圧計用モジュールにおいては、被測定者の測定部位にカフを装着して血圧を測定する電子血圧計のハウジング内に収容される電子血圧計用モジュールであって、上記カフに空気を導入し、ポンプエアポートを有するポンプと、上記カフ内の空気圧を制御する、弁エアポートを有する弁と、上記ポンプエアポートと上記弁エアポートとを連結するエアチューブと、電子機器が実装された基板と、側面を有し、上記ポンプを収容するポンプ収容領域、上記弁を収容する弁収容領域、および上記基板を支持する基板支持領域を有するベースとを備えている。
【００１２】
また、上記ポンプ収容領域に上記ポンプが収容され、上記弁収容領域に上記弁が収容され、上記ポンプエアポートと上記弁エアポートとが上記エアチューブにより連結され、上記基板支持領域に上記基板が支持されている。
【００１３】
他の形態では、上記ポンプ収容領域の上記ポンプの支持深さは、上記弁収容領域の上記弁の支持深さよりも深く設けられる。
【００１４】
他の形態では、上記ポンプエアポートと上記弁エアポートとが、上記側面側に位置し、各ポートが同一方向を向くように、上記ポンプと上記弁とが上記ベースに配置されている。
【００１５】
他の形態では、上記ポンプエアポートの先端および上記弁エアポートの先端は、上記ベースの上記側面から外方に突出している。
【００１６】
他の形態では、上記ポンプエアポートと上記弁エアポートとは、上記ベースの上記側面の外側から上記エアチューブにより連結されている。
【００１７】
他の形態では、上記ポンプ収容領域に上記ポンプが収容され、上記弁収容領域に上記弁が収容された状態において、上記基板は、上記ポンプ収容領域および上記弁収容領域の開口側の位置で上記基板支持領域に支持される。
【００１８】
他の形態では、上記基板は、上記ポンプの一部を露出させるように、上記基板支持領域に支持される。
【００１９】
他の形態では、上記基板は、上記弁の一部を露出させるように、上記基板支持領域に支持される。
【００２０】
他の形態では、上記基板の縁部には、外部機器との通信領域が設けられる。
他の形態では、上記ポンプは、上記ポンプエアポートを有するポンプ本体と、上記ポンプ本体に対して上記ポンプエアポートとは反対側に設けられるポンプモータと含み、上記ポンプモータの上記ポンプ本体とは反対側にはモータ端子を有し、上記側面には、上記モータ端子との干渉を防ぐ切り欠き領域が設けられる。
【００２１】
他の形態では、上記ベースは、上記エアチューブが連結されるジョイント配管をさらに有する。
【００２２】
この発明に基づいた電子血圧計においては、上記電子血圧計用モジュールと、表面に表示部を有し、内部に上記電子血圧計用モジュールを収容するハウジングと、被測定者の測定部位に装着され、内部に導入される空気圧が上記電子血圧計用モジュールによって制御されるカフとを備える。
【００２３】
他の形態では、上記ハウジングを載置面に載置した場合に、上記表示部は上記載置面に対して傾斜している。
【発明の効果】
【００２４】
この発明に基づいた電子血圧計用モジュールおよび電子血圧計によれば、共通化が可能な部品を集合体とすることで、機種に関係なく汎用部品として用いることのできる電子血圧計用モジュールおよび電子血圧計を提供することが可能となる。
【図面の簡単な説明】
【００２５】
【図１】実施の形態における電子血圧計の外観を示す斜視図である。
【図２】実施の形態における電子血圧計のハードウェア構成図である。
【図３】実施の形態における電子血圧計の機能構成図である。
【図４】実施の形態における血圧測定の処理フローチャートである。
【図５】図１中Ｖ−Ｖ線矢視断面図である。
【図６】実施の形態における電子血圧計のハウジングに電子血圧計用モジュールを取り付けた状態における内部構造を示す斜視図である。
【図７】実施の形態における電子血圧計用モジュール、液晶表示装置、および液晶表示載置プレートを示す斜視図である。
【図８】実施の形態における電子血圧計用モジュールおよび液晶表示装置を示す側面図である。
【図９】実施の形態における電子血圧計用モジュールの分解斜視図である。
【図１０】図９中のＸ−Ｘ線矢視断面図である。
【図１１】実施の形態におけるベースにポンプおよび弁を載置した状態を示す平面図である。
【図１２】図９中の矢印ＸＩＩ方向から見た図である。
【図１３】実施の形態におけるベースの底面図である。
【発明を実施するための形態】
【００２６】
以下、この発明に基づいた実施の形態における電子血圧計について図面を参照して詳細に説明する。なお、以下に説明する実施の形態において、個数、量などに言及する場合、特に記載がある場合を除き、本発明の範囲は必ずしもその個数、量などに限定されない。
【００２７】
また、以下に複数の実施の形態が存在する場合、特に記載がある場合を除き、各々の実施の形態の構成を適宜組み合わせることは、当初から予定されている。各図中、同一符号は同一または相当部分を指し、重複する説明は繰返さない場合がある。
【００２８】
本実施の形態では、測定部位を上腕とし、オシロメトリック法で血圧を算出し、一例として圧力センサが２個搭載されている電子血圧計について説明する。なお、血圧算出のために適用される方法は、オシロメトリック法に限定されない。
【００２９】
（電子血圧計１の外観）
図１は、この発明の実施の形態に係る電子血圧計１の外観を示す図である。図２は、本発明の実施の形態に係る電子血圧計のハードウェア構成を表わすブロック図である。図１および図２を参照して、電子血圧計１は、ハウジング１０と、表カバー１１と、被測定者の上腕に巻付け可能なカフ２０とを備える。カフ２０は、空気袋２１を含む。表カバー１１には、たとえば液晶などにより構成される表示部４０と、ユーザ（被測定者）からの指示を受付けるための複数のスイッチからなる操作部４１とが配置されている。
【００３０】
ハウジング１０には、上述の表示部４０および操作部４１に加え、各部を集中的に制御し各種の演算処理を行なうためのＣＰＵ（Central Processing Unit）１００と、ＣＰＵ１００に所定の動作をさせるためのプログラムやデータを記憶するための処理用のメモリ４２と、測定した血圧データなどを格納するためのデータ格納用のメモリ４３と、ハウジング１０の各部に電力を供給するための電源４４と、現在時間を計時して計時データをＣＰＵ１００に出力するタイマ４５とを収容している。
【００３１】
操作部４１は、電源をＯＮまたはＯＦＦするための指示の入力と測定開始および終了の指示を受付ける測定／停止スイッチ４１Ａと、タイマ４５をセットするために操作されるタイマセットスイッチ４１Ｂと、メモリ４３に格納された血圧データなどの情報をメモリ４３から読出し、表示部４０に表示する指示を受付けるためのメモリスイッチ４１Ｃと、タイマセットの際の数字とメモリ呼び出しの際のメモリ番号の上げ下げの指示を受付けるための矢印スイッチ４１Ｄ，４１Ｅとを有する。
【００３２】
ハウジング１０は、さらに、ポンプ５１１および排気弁（以下、弁という）５２を含むカフ圧の調整機構を収容している。ポンプ５１１、弁５１２および空気袋２１内の圧力（カフ圧）を検出するための第１圧力センサ３２１および第２圧力センサ３２２からなるエア系は、カフ用エアチューブ３１を介して、カフ２０に内包される空気袋２１と接続される。
【００３３】
ハウジング１０は、さらに、上述したエア系と、カフ圧の調整機構と、第１発振回路３３１および第２発振回路３３２と、収容している。カフ圧の調整機構は、ポンプ５１１および弁５１２のほか、ポンプ駆動回路５３と弁駆動回路５４とを有する。
【００３４】
ポンプ５１１は、カフ圧を加圧するために、空気袋２１に空気を供給する。弁５１２は、空気袋２１の空気を排出しまたは封入するために開閉される。ポンプ駆動回路５３は、ポンプ５１１の駆動をＣＰＵ１００から与えられる制御信号に基づいて制御する。弁駆動回路５４は弁５１２の開閉制御をＣＰＵ１００から与えられる制御信号に基づいて行なう。
【００３５】
第１圧力センサ３２１および第２圧力センサ３２２には、ピエゾ抵抗式圧力センサを用いることができる。第１発振回路３３１および第２発振回路３３２はそれぞれ、対応する圧力センサに接続されて、対応の圧力センサのからのピエゾ抵抗効果による電気抵抗の変化に基づく電気信号値に基づき発振する。
【００３６】
これにより、対応する圧力センサの電気信号値に応じた周波数を有する信号（以下、周波数信号という）を出力する。出力した周波数信号はＣＰＵ１００に与えられる。ＣＰＵ１００は、第１発振回路３３１または第２発振回路３３２から入力する周波数信号を圧力に変換することによって、圧力を検知する。
【００３７】
（電子血圧計１の機能構成）
図３には、本実施の形態に係る電子血圧計１の機能構成が示される。図３を参照して、ＣＰＵ１００には、圧力調整部１１１、血圧算出部１１２、センサ異常検出部１１３、記録部１１４、および表示処理部１１５を備える。
【００３８】
圧力調整部１１１はポンプ駆動回路５３および弁駆動回路５４を介してポンプ５１１および弁５１２を制御し、カフ用エアチューブ３１を介して空気袋２１内に空気を流入・排出することにより、カフ圧を調整する。
【００３９】
血圧算出部１１２は第１発振回路３３１または第２発振回路３３２から入力する周波数信号（この周波数信号は圧力情報信号を指示する）に基づき脈波振幅情報を検出し、検出した脈波振幅情報に基づきオシロメトリック法に従い収縮期血圧および拡張期血圧を算出し、ならびに検出した脈波振幅情報に基づき所定時間当たりの脈拍数を算出する。
【００４０】
具体的には、圧力調整部１１１によりカフ圧を所定値まで徐々に加圧（または減圧）させる過程において、第１発振回路３３１または第２発振回路３３２から入力するカフ圧に基づいて脈波振幅情報を検出し、検出した脈波振幅情報に基づき被測定者の収縮期血圧および拡張期血圧を算出する。血圧算出部１１２によるオシロメトリック法に従う血圧の算出および脈拍の算出は、従来から知られている方法を適用することができる。
【００４１】
センサ異常検出部１１３は、第１発振回路３３１および第２発振回路３３２から出力される周波数信号を入力し、入力した信号を解析することにより、第１圧力センサ３２１および第２圧力センサ３２２の異常を検出する。
【００４２】
記録部１１４はメモリ４３のデータを読出し、またはメモリ４３に書き込む機能を有する。具体的には、血圧算出部１１２からの出力データを入力し、入力したデータ（血圧測定データ）をメモリ４３の所定記憶領域に格納する。さらに、センサ異常検出部１１３からの出力データを入力し、入力したデータ（圧力センサの異常の検出結果）をメモリ４３の所定記憶領域に格納する。また記録部１１４は、操作部４１のメモリスイッチ４１Ｃの操作に基づきメモリ４３の所定記憶領域から測定データを表示処理部１１５に出力する。
【００４３】
表示処理部１１５は、与えられるデータを入力し、表示可能な形式に変換して表示部４０に表示する。
【００４４】
図３ではＣＰＵ１００の周辺回路について、ＣＰＵ１００と直接に入出力する部分のみを示している。
【００４５】
（血圧測定の処理手順）
図４を参照して、本実施の形態に係る血圧測定の処理手順について説明する。図４の処理手順を示すフローチャートは、予めプログラムとして、メモリ４２に格納されており、ＣＰＵ１００がメモリ４２から当該プログラムの読出し命令を実行することにより、図４の血圧測定処理が実現される。
【００４６】
まず、被測定者が測定／停止スイッチ４１Ａを操作（押す）すると（ステップＳＴ１）、ＣＰＵ１００は、図示のない作業用メモリを初期化する（ＳＴ２）。
【００４７】
続いて、第１圧力センサ３２１および第２圧力センサ３２２の０ｍｍＨｇの調整を行なう（ＳＴ３）。
【００４８】
ここで、被測定者は、カフ２０を被測定者の測定部位（上腕）に巻付けて装着する。カフ２０を巻きつけた後、被測定者は測定／停止スイッチ４１Ａを操作（押す）すると（ステップＳＴ４）、圧力調整部１１１はポンプ駆動回路５３および弁駆動回路５４に制御信号を出力する。ポンプ駆動回路５３および弁駆動回路５４は制御信号に基づき弁５１２を閉鎖した後に、ポンプ５１１を駆動する。これにより、カフ圧は所定の圧力まで徐々に加圧される（ステップＳＴ５、ＳＴ６）。
【００４９】
所定の圧力まで加圧した後（ステップＳＴ６で≧所定加圧値）、圧力調整部１１１はポンプ駆動回路５３および弁駆動回路５４に制御信号を出力する。ポンプ駆動回路５３および弁駆動回路５４は制御信号に基づきポンプ５１１を停止し、その後、弁５１２を徐々に開くように制御する。これにより、カフ圧は徐々に減圧していく（ステップＳＴ７）。
【００５０】
この減圧過程において、血圧算出部１１２は第１発振回路３３１または第２発振回路３３２から出力される周波数信号に基づき、すなわち第１圧力センサ３２１または第２圧力センサ３２２によって検出されたカフ圧信号に基づき脈波振幅情報を検出し、検出した脈波振幅情報に所定の演算を行なう。この演算により収縮期血圧および拡張期血圧が算出される（ステップＳＴ８、ＳＴ９）。脈波振幅情報は、測定部位の動脈の容積変化成分を表し、検出するカフ圧信号に含まれる。血圧算出部１１２による血圧の算出においては、圧力センサの特性変化に従う演算が行なわれる。なお、血圧測定は減圧過程に限らず、加圧過程（ステップＳＴ５）において行なわれてもよい。
【００５１】
収縮期血圧・拡張期血圧が算出されて決定すると（ステップＳＴ９でＹＥＳ）、圧力調整部１１１は弁駆動回路５４を介して弁５１２を全開にし、カフ２０内の空気を急速排気する（ステップＳＴ１０）。
【００５２】
血圧算出部１１２により算出された血圧のデータは、表示処理部１１５と記録部１１４に出力される。表示処理部１１５は血圧データを入力して、表示部４０に表示する（ステップＳＴ１１）。また、記録部１１４は血圧データを入力し、タイマ４５から入力する時間データを関連付けて、メモリ４３の所定記憶領域に格納する（ステップＳＴ１２）。
【００５３】
なお、血圧算出部１１２は検出される脈波振幅情報に基づき脈拍数を算出することもできる。算出された脈拍数は表示処理部１１５により表示部４０に表示されるとともに、記録部１１４により血圧データと関連付けてメモリ４３に格納される。
【００５４】
なお、ここまでの動作は従来の電子血圧計と同様である。従来の電子血圧計では、血圧を算出するための最も重要な要素である圧力センサが正常か異常かを使用者が判断することが不可能であったため、血圧測定値が通常の値（例えば、前日の測定値、病院での測定値など）と大きく異なった場合（例えば１０ｍｍＨｇ以上相違していた場合）、それが生体の生理情報に起因するものなのか、圧力センサが故障したためなのかが不明であり、不安感を抱くことがあった。
【００５５】
そこで、本実施の形態の電子血圧計１は第１圧力センサ３２１と第２圧力センサ３２２を搭載し、これら圧力センサが検出したカフ圧の平均値を血圧として算出する。これにより経年変化により一方の圧力センサの検出精度にバラツキが発生しても、平均値を算出することで、血圧測定値の信頼性を向上させることができる。
【００５６】
（電子血圧計１の装置構成）
次に、図５から図１３を参照して、本実施の形態における電子血圧計１の装置構成について説明する。なお、図５は、図１中Ｖ−Ｖ線矢視断面図、図６は、電子血圧計１のハウジング１０に電子血圧計用モジュール５００を取り付けた状態における内部構造を示す斜視図、図７は、電子血圧計用モジュール５００、液晶表示装置６００、および液晶表示載置プレート７００を示す斜視図、図８は、電子血圧計用モジュール５００および液晶表示装置６００を示す側面図、図９は、電子血圧計用モジュール５００の分解斜視図、図１０は、図９中のＸ−Ｘ線矢視断面図、図１１は、ベース５０１にポンプ５１１および弁５１２を載置した状態を示す平面図、図１２は、図９中の矢印ＸＩＩ方向から見た図、図１３は、ベース５０１の底面図である。
【００５７】
図１、図５および図６に示すように、本実施の形態における電子血圧計１は、ハウジング１０を載置面に載置した場合に、表示部４０は載置面に対して傾斜する形態を有している。ハウジング１０の内部には、本実施の形態における電子血圧計用モジュール５００が収容されている。
【００５８】
ハウジング１０の内部においては、電子血圧計用モジュール５００も表示部４０に沿って傾斜するように配置され、電子血圧計用モジュール５００と表カバー１１との間には、液晶表示装置６００および液晶表示載置プレート７００がそれぞれ位置決めされている。
【００５９】
次に、図７から図９参照して、電子血圧計用モジュール５００、液晶表示装置６００、および液晶表示載置プレート７００について説明する。
【００６０】
（電子血圧計用モジュール５００）
図７を参照して、電子血圧計用モジュール５００は、カフ２０（図１参照）に空気を導入し、ポンプエアポート５１１ｃを有するポンプ５１１（図９参照）と、カフ２０内の空気圧を制御する、弁エアポート５１２ｂを有する弁５１２（図９参照）と、ポンプエアポート５１１ｃと弁エアポート５１２ｂとを連結するエアチューブ５２０と、電子血圧計１の制御を行なう電子機器が搭載された基板５３０と、ポンプ５１１を収容するポンプ収容領域５０２、弁５１２を収容する弁収容領域５０３、および基板５３０を支持する基板支持領域５１０を有する箱状のベース５０１（図９参照）とを備える。
【００６１】
図９を参照して、ポンプ５１１は、ポンプエアポート５１１ｃを有するポンプ本体５１１ａと、ポンプ本体５１１ａに対してポンプエアポート５１１ｃとは反対側に設けられるポンプモータ５１１ｂとを有している。弁５１２は、弁本体５１２ａと弁エアポート５１２ｂとを有する。
【００６２】
エアチューブ５２０は、主配管５２１、この主配管５２１から枝分かれする第１枝管５２２、第２枝管５２３、および第３枝管５２４を有する。詳細は後述するが、第１枝管５２２は、ポンプエアポート５１１ｃに連結され、第２枝管５２３は弁エアポート５１２ｂに連結され、第３枝管５２４は、ベース５０１に設けられるジョイント配管５０４に連結される。
【００６３】
図９および図１０を参照して、箱状のベース５０１は、樹脂成形品からなり、ポンプ収容領域５０２および弁収容領域５０３を有している。また、ベース５０１は、第１側面５０１ｓと、この第１側面５０１ｓに対向する側に第２側面５０１ｔを有している。ポンプ収容領域５０２のポンプ５１１の支持深さｈ１は、弁収容領域５０３の弁５１２の支持深さｈ２よりも深く設けられている。ここで、支持深さとは、箱状のベース５０１の表面５０１ｈから、各収容領域の底面までの最も深い位置までの距離を意味している。
【００６４】
このように、ポンプ収容領域５０２の支持深さと弁収容領域５０３の支持深さとを異ならせることで、図５の断面図に示したように、支持深さが深いポンプ収容領域５０２側を、ハウジング１０の上方側に位置させることで、ハウジング１０内の狭いスペースを有効活用することが可能となる。
【００６５】
図１１を参照して、ベース５０１に形成される、ポンプ収容領域５０２および弁収容領域５０３は、ポンプエアポート５１１ｃと弁エアポート５１２ｂとが、ベース５０１の同一の第１側面５０１ｓ側に位置し、各ポートが同一方向を向くように形成されている。さらに、ポンプエアポート５１１ｃの先端および弁エアポート５１２ｂの先端は、ベース５０１の第１側面５０１ｓから外方に突出している。
【００６６】
また、ベース５０１にはジョイント配管５０４が設けられている。このジョイント配管５０４は、ポンプエアポート５１１ｃおよび弁エアポート５１２ｂと同一方向に開口する第１配管口５０４ａと、この第１配管口５０４ａに連通し、第１配管口５０４ａとは反対方向に開口する第２配管口５０４ｂとを有する。
【００６７】
これにより、図７に示したように、ポンプエアポート５１１ｃ、弁エアポート５１２ｂ、および第１配管口５０４ａとは、ベース５０１の第１側面５０１ｓの外側からエアチューブ５２０により連結される。その結果、ポンプエアポート５１１ｃ、弁エアポート５１２ｂ、および第１配管口５０４ａへのエアチューブ５２０の差込作業を、ベース５０１の側方から容易に実現することができる。たとえば、自動組立を容易に実現させることが可能となる。
【００６８】
また、検査時等においても外部の配管の挿入位置が安定し、検査の自動化に対応しやすくなる。さらに、エアチューブ５２０はポンプエアポート５１１ｃ、弁エアポート５１２ｂ、および第１配管口５０４ａに固定された状態であることから、電子血圧計用モジュール５００の搬送による組立状態の変化を抑制することも可能となる。
【００６９】
なお、第２配管口５０４ｂには、空気袋２１、第１圧力センサ３２１、および第２圧力センサ３２２に連通するエアチューブ（図示省略）が連結される。
【００７０】
図１１および図１２を参照して、ポンプモータ５１１ｂのポンプ本体５１１ａとは反対側にはモータ端子５１１ｔが設けられている。ポンプ５１１は全体として略円筒形状を有していることから、ポンプ収容領域５０２内において、軸周り(図中Ｒ方向）に回転する場合がある。この場合に、モータ端子５１１ｔとベース５０１の側面との干渉を防ぐため、ベース５０１の側面には、切り欠き領域５０１ｘが設けられている。
【００７１】
また、箱状のベース５０１の上面部分には、基板５３０を支持する基板支持領域５１０が設けられている。さらに、図１３を参照して、ベース５０１の底面には、位置決め用のベース位置決め穴５０６が２箇所設けられている。このベース位置決め穴５０６を設けることで、電子血圧計用モジュール５００の自動組立時に、自動検査（基板５３０との通信）におけるベース５０１の位置決めを行なうことが可能となる。
【００７２】
再び、図７から図９を参照して、上述したベース５０１のポンプ収容領域５０２にポンプ５１１が収容され、弁収容領域５０３に弁５１２が収容された状態において、基板５３０は、ポンプ収容領域５０２および弁収容領域５０３の開口側（図示においては上部側）の位置で基板支持領域５１０に支持されている。
【００７３】
具体的には、基板５３０は、ポンプ５１１の一部（本実施の形態ではポンプ本体５１１ａの一部）を露出させるように、基板支持領域５１０に支持されている。好ましくは、ポンプエアポート５１１ｃおよび弁エアポート５１２ｂを覆わないように、基板５３０は基板支持領域５１０に支持されている。
【００７４】
基板５３０の一部の縁部領域５３０ｆは、ベース５０１の第２側面５０１ｔから突出するように基板支持領域５１０に支持され、この縁部領域５３０ｆは、外部の電子機器との接続領域が構成されている。本実施の形態では、この縁部領域５３０ｆには、液晶表示装置６００が接続されている。
【００７５】
また、基板５３０には、外部機器との通信領域５３１が設けられる。なお、外部機器に設けられるピン冶具（図示省略）と通信領域５３１との接続を考慮すると、通信領域５３１は、基板の縁部に設けられていることが好ましい。この通信領域５３１から、ＣＰＵ（Central Processing Unit）５３０に対して、機種毎の制御ソフトの書き込みや、検査が行なわれる。このように、通信領域５３１を基板の縁部に設けておくことで、外部機器との接触が容易となる。また、基板５３０には、基板位置決め用穴５３２が２箇所設けられている。この基板位置決め用穴５３２は、基板５３０上の通信領域５３１にピン冶具を当接して通信を行なう際に、基板５３０の位置決めに用いられる。
【００７６】
なお、図６、図７、および図９に示す基板５３０において、電子部品としてＣＰＵ１００および第１圧力センサ３２１のみを図示し、その他の電子部品の図示は省略している。また、第２圧力センサ３２２が設けられる領域においては、第２圧力センサに設けられる圧力導入管を挿通させるための開口部Ｈ１を基板５３０に図示している。
【００７７】
（液晶表示装置６００）
図７および図８を参照して、液晶表示装置６００は、液晶表示プレート６０１とヒートシール６０２とを有し、縁部領域５３０ｆにはヒートシール６０２が連結されている。
【００７８】
（液晶表示載置プレート７００）
図７を参照して、液晶表示載置プレート７００は、電子血圧計用モジュール５００の基板５３０側に載置される。液晶表示載置プレート７００は、矩形のプレート本体７０１と、このプレート本体７０１の縁部に設けられ、液晶表示プレート６０１をプレート本体７０１に載置した場合に、液晶表示プレート６０１の移動を規制する立壁７０２と、プレート本体７０１の電子血圧計用モジュール５００側（図示おいて裏面側）に、支持リブ７１１，７１２が設けられている。
【００７９】
この支持リブ７１１，７１２は、液晶表示載置プレート７００を電子血圧計用モジュール５００の基板５３０側に載置した場合に、ポンプ５１１および弁５１２に当接して、ポンプ５１１および弁５１２を保持する。２つの支持リブ７１１が、ポンプ５１１のポンプ本体５１１ａを支持し、１つの支持リブ７１２が弁５１２の弁本体５１２ａを支持する。
【００８０】
ここで、基板５３０を、ポンプ５１１を露出させるように、基板支持領域５１０に支持したのは、液晶表示載置プレート７００の支持リブ７１１によりポンプ５１１および弁５１２を支持するためである。特に、ポンプ５１１は、弁５１２に比べて外形が大きいことから、２つの支持リブ７１１でポンプ５１１を支持することが好ましい。また、支持リブ７１１によるポンプ５１１の支持位置も、ポンプ５１１の重心位置周りを支持することが好ましい。
【００８１】
（作用・効果）
以上、本実施の形態における電子血圧計用モジュール５００によれば、ベース５０１のポンプ収容領域５０２にポンプ５１１が収容され、弁収容領域５０３に弁５１２が収容され、ポンプエアポート５１１ｃと弁エアポート５１２ｂとがエアチューブ５２０により連結され、基板支持領域５１０に基板５３０が支持されている。
【００８２】
これにより、異なる機種の電子血圧計であっても、共通化が可能な部品を集合体とすることで、この電子血圧計用モジュール５００を、電子血圧計の機種に関係なく汎用部品として用いることが可能となる。
【００８３】
また、この電子血圧計用モジュール５００を異なる機種の電子血圧計に採用することで、電子血圧計における機種ごとの、個別の部品の配置検討が不要となり、製造コストの削減を図ることが可能になる。
【００８４】
また、ベース５０１にポンプ５１１および弁５１２を収容し、ポンプ５１１および弁５１２の上方側から基板支持領域５１０に基板５３０を支持し、その後第１側面５０１ｓ側からエアチューブ５２０の差込ができることから、電子血圧計用モジュール５００の自動組立に対応することができる。
【００８５】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００８６】
１  電子血圧計、１０  ハウジング、１１  表カバー、１２  内部基板、２０  カフ、２１  空気袋、３１  カフ用エアチューブ、４０  表示部、４１  操作部、４１Ａ  測定／停止スイッチ、４１Ｂ  タイマセットスイッチ、４１Ｃ  メモリスイッチ、４１Ｄ，４１Ｅ  矢印スイッチ、４２，４３  メモリ、４４  電源、４５  タイマ、５３  ポンプ駆動回路、５４  弁駆動回路、１００  ＣＰＵ（Central Processing Unit）、１１１  圧力調整部、１１２  血圧算出部、１１３  センサ異常検出部、１１４  記録部、１１５  表示処理部、３２１  第１圧力センサ（ピエゾ抵抗型圧力センサ）、３２２  第２圧力センサ、３３１  第１発振回路、３３２  第２発振回路、５００  電子血圧計用モジュール、５０１  ベース、５０１ｈ  表面、５０１ｓ  第１側面、５０１ｔ  第２側面、５０１ｘ  切り欠き領域、５０２  ポンプ収容領域、５０３  弁収容領域、５０４  ジョイント配管、５０４ａ  第１配管口、５０４ｂ  第２配管口、５０６  ベース位置決め用穴、５１０  基板支持領域、５１１  ポンプ、５１１ａ  ポンプ本体、５１１ｂ  ポンプモータ、５１１ｃ  ポンプエアポート、５１１ｔ  モータ端子、５１２  弁、５１２ａ  弁本体、５１２ｂ  弁エアポート、５２０  エアチューブ、５２１  主配管、５２２  第１枝管、５２３  第２枝管、５２４  第３枝管、５３０  基板、５３０ｆ  縁部領域、５３１  通信領域、５３２  基板位置決め用穴、６００  液晶表示装置、６０１  液晶表示プレート、６０２  ヒートシール、７００  液晶表示載置プレート、７０１  プレート本体、７０２  立壁、７１１，７１２  支持リブ、Ｈ１  開口部。
【図１】
2012029793.tif 000003
【図２】
2012029793.tif 000004
【図３】
2012029793.tif 000005
【図４】
2012029793.tif 000006
【図５】
2012029793.tif 000007
【図６】
2012029793.tif 000008
【図７】
2012029793.tif 000009
【図８】
2012029793.tif 000010
【図９】
2012029793.tif 000011
【図１０】
2012029793.tif 000012
【図１１】
2012029793.tif 000013
【図１２】
2012029793.tif 000014
【図１３】
2012029793.tif 000015